(57)【特許請求の範囲】
【請求項１】
設定ユニットを使って第一ディスプレイ及び第二ディスプレイにＩＤを設定する装置において、  
少なくとも第一スイッチ及び第二スイッチと、第一伝送回線と、第二伝送回線と、第三伝送回線とを備え、
前記第一スイッチは、入力端子、出力端子及びコントロール端子を有し、
前記第二スイッチは、入力端子及びコントロール端子を有し、
前記第一スイッチの前記入力端子は、前記設定ユニットの伝送端子に電気的に接続され、
前記第一スイッチの前記出力端子は、前記第二スイッチの前記入力端子に電気的に接続され、
前記第一スイッチ及び前記第二スイッチの前記コントロール端子は、前記第一ディスプレイ及び第二ディスプレイからのコントロール信号を受信するために設けられ、前記第一スイッチ及び前記第二スイッチが、前記第一ディスプレイ及び第二ディスプレイからの前記コントロール信号を受信した後にオン又はオフされ、
前記第一伝送回線は、前記第一スイッチの前記入力端子、前記第一ディスプレイの受信端子及び前記設定ユニットの前記伝送端子に電気的に接続され、
前記第二伝送回線は、前記第一スイッチの前記出力端子、前記第二スイッチの入力端子及び前記第二ディスプレイの受信端子に電気的に接続され、
前記第三伝送回線は、前記第一及び第二ディスプレイの伝送端子及び前記設定ユニットの受信端子に電気的に接続されていることを特徴とする装置。
【請求項２】
請求項１に記載の設定ユニットを使って第一ディスプレイ及び第二ディスプレイにＩＤを設定する装置において、前記設定ユニットはコンピュータであることを特徴とする装置。
【請求項３】
請求項１に記載の設定ユニットを使って第一ディスプレイ及び第二ディスプレイにＩＤを設定する装置において、前記ディスプレイの前記受信端子及び前記伝送端子は、それぞれ、ＲＳ２３２受信端子及びＲＳ２３２伝送端子であることを特徴とする装置。
【請求項４】
請求項１に記載の設定ユニットを使って第一ディスプレイ及び第二ディスプレイにＩＤを設定する装置において、前記設定ユニットの前記受信端子及び前記伝送端子は、それぞれ、ＲＳ２３２受信端子及びＲＳ２３２伝送端子であることを特徴とする装置。
【請求項５】
ディスプレイＩＤを設定するためのシステムにおいて、
設定ユニットと、少なくとも第一ディスプレイ及び第二ディスプレイと、少なくとも第一スイッチ及び第二スイッチと、第一伝送回線と、第二伝送回線と、第三伝送回線とを備え、
前記設定ユニットは、伝送端子及び受信端子を有し、
前記第一ディスプレイ及び前記第二ディスプレイのそれぞれは、コントロール端子と、マイクロプロセッサと、伝送端子及び受信端子を有する通信インターフェイスとを備え、
前記マイクロプロセッサには、前記伝送端子、前記受信端子、前記コントロール端子及びメモリーが電気的に接続され、
前記第一スイッチ及び前記第二スイッチは、それぞれ、前記第一ディスプレイ及び前記第二ディスプレイからのコントロール信号を受信し、該コントロール信号の受信によりオン又はオフされ、
前記第一伝送回線は、前記第一スイッチの入力端子、前記第一ディスプレイの前記受信端子及び前記設定ユニットの前記伝送端子に電気的に接続され、
前記第二伝送回線は、前記第一スイッチの出力端子、前記第二スイッチの入力端子及び前記第二ディスプレイの前記受信端子に電気的に接続され、
前記第三伝送回線は、前記第一ディスプレイ及び前記第二ディスプレイの前記伝送端子及び前記設定ユニットの前記受信端子に電気的に接続されることを特徴とするシステム。
【請求項６】
請求項５に記載のディスプレイＩＤを設定するためのシステムにおいて、
前記第一スイッチ及び前記第二スイッチは、それぞれ、入力端子、出力端子及びコントロール端子を備え、
前記第一スイッチの前記入力端子は、前記設定ユニットの前記伝送端子に電気的に接続され、前記第一スイッチの前記出力端子は、前記第二スイッチの前記入力端子に電気的に接続され、
前記第一スイッチ及び前記第二スイッチの前記コントロール端子は、前記第一ディスプレイ及び前記第二ディスプレイのコントロール信号を受信し、その後、前記第一ディスプレイ及び前記第二ディスプレイは、前記コントロール信号に基づき前記第一スイッチ及び前記第二スイッチをオン又はオフすることを特徴とするシステム。
【請求項７】
請求項５に記載のディスプレイＩＤを設定するためのシステムにおいて、前記設定ユニットは、コンピュータであることを特徴とするシステム。
【請求項８】
請求項５に記載のディスプレイＩＤを設定するためのシステムにおいて、前記第一ディスプレイ及び前記第二ディスプレイの前記通信インターフェイスは、それぞれ、ＲＳ２３２であることを特徴とするシステム。
【請求項９】
請求項５に記載のディスプレイＩＤを設定するためのシステムにおいて、前記設定ユニットの通信インターフェイスは、ＲＳ２３２であることを特徴とするシステム。
【請求項１０】
ディスプレイＩＤを設定するためのシステムにおいて、
設定ユニットと、
前記設定ユニットに電気的に接続された第一ディスプレイ及び第二ディスプレイと、
前記設定ユニットと前記第一ディスプレイとの間に設けられ、該第一ディスプレイによりオン又はオフされる第一スイッチと、
前記設定ユニットと前記第二ディスプレイとの間に設けられ、該第二ディスプレイによりオン又はオフされる第二スイッチとを備え、
前記設定ユニットが、前記第一ディスプレイ及び前記第二ディスプレイにＩＤ設定インストラクションを送ると、前記第一及び第二スイッチは、それぞれ、前記第一ディスプレイ及び前記第二ディスプレイによりオフされ、その後、前記設定ユニットが第一ＩＤ情報を前記第一ディスプレイに送ると、前記第一ディスプレイによって前記第一スイッチをオンし、前記第一スイッチをオンした後、前記第二ディスプレイは、前設定ユニットと電気的に接続され、前記設定ユニットは、前記第一ディスプレイの返信信号に基づき前記第二ディスプレイに第二ＩＤ情報を送ることを特徴とするシステム。
【請求項１１】
請求項１０に記載のディスプレイＩＤ設定システムにおいて、前記第二ディスプレイの受信端子は、前記第一ディスプレイのＩＤ設定が完了し、前記第一ディスプレイに応じた前記第一スイッチがオンされるまで前記設定ユニットに電気的に接続されず、
前記設定ユニットは、前記第二ディスプレイのＩＤを設定するために、前記第一ディスプレイのＩＤ設定が完了したことを示す前記返信信号を受信した後にのみ前記第二ディスプレイに応じた前記第二ＩＤ情報を送ることを特徴とするシステム。
【請求項１２】
請求項１０に記載のディスプレイＩＤ設定システムにおいて、前記設定ユニットは、それぞれ第一伝送回線及び第二伝送回線を介して前記第一ディスプレイ及び前記第二ディスプレイ内のマイククロプロセッサの受信端子及び伝送端子に電気的に接続される伝送端子及び受信端子を備え、前記第一スイッチ及び前記第二スイッチは、前記第一伝送回線に設けられていることを特徴とするシステム。
【請求項１３】
請求項１０に記載のディスプレイＩＤ設定システムにおいて、前記第一ディスプレイの前記受信端子及び前記伝送端子は、それぞれ、第一伝送回線及び第二伝送回線を経て前記設定ユニットの前記伝送端子及び前記受信端子に電気的に接続され、前記第二ディスプレイの前記受信端子は、前記第一ディスプレイに応じた前記第一スイッチを経て前記設定ユニットの前記伝送端子に電気的に接続されることを特徴とするシステム。
【請求項１４】
請求項１０に記載のディスプレイＩＤ設定システムにおいて、前記第一ディスプレイ及び前記第二ディスプレイは、ＩＤを保存するためのメモリーを備えることを特徴とするシステム。
【請求項１５】
少なくとも設定ユニットと、第一ディスプレイと、第二ディスプレイと、第一スイッチと、第二スイッチとを備え、前記第一ディスプレイは、前記設定ユニットに電気的に接続され、前記第二ディスプレイは、前記第一スイッチを介して前記設定ユニットに電気的に接続される装置を用いたディスプレイＩＤを設定するための方法において、
前記第一ディスプレイ及び前記第二ディスプレイは、それぞれ前記第一スイッチ及び前記第二スイッチをオンし、
前記第一ディスプレイの第一マイクロプロセッサ及び前記第二ディスプレイの第二マイクロプロセッサは、前記設定ユニットからＩＤ設定インストラクションを受信し、
前記第一ディスプレイ及び前記第二ディスプレイは、前記ＩＤ設定インストラクションを受信すると、ＩＤ設定モードへ変わり、前記第一スイッチ及び前記第二スイッチをオフするよう制御し、
前記第一ディスプレイは、前記設定ユニットから第一ＩＤを含む第一ＩＤ情報を受信し、
前記第一マイクロプロセッサは、前記第一ディスプレイのメモリー内に前記第一ＩＤを保存し、
前記第一マイクロプロセッサは、前記第一ディスプレイの前記ＩＤ設定モードを中止し、通常運転モードに戻し、前記第一ディスプレイに応じた前記第一スイッチをオンにし、
前記第一マイクロプロセッサは、前記設定ユニットに返信信号を送信し、前記設定ユニットは、前記返信信号を受信すると、前記第二ディスプレイへ第二ＩＤ情報を送信し、
前記第二ディスプレイは、前記設定ユニットから前記第二ＩＤを含む第二ＩＤ情報を受信し、
前記第二マイクロプロセッサは、前記第二ディスプレイのメモリー内に前記第二ＩＤを保存することを特徴とする方法。
【発明の詳細な説明】
【技術分野】
【０００１】
本発明は、ディスプレイの符号（ID）を設定するためのシステム、装置及び方法に関し、特に、TV壁を形成する複数のディスプレイの符号を設定するためのシステム、装置及び方法に関する。
【背景技術】
【０００２】
新しい技術の進歩、発展に伴い、異なる種類の広告が頻繁に更新されている。ディスプレイは、その関連分野で一般的に利用される装置である。複数のディスプレイを結合して一つの大きなスクリーンTV壁を形成することによって、通常のディスプレイにもともと表示されたイメージを複数のイメージに分割し、その後、これらの各イメージを、TV壁を構成する各ディスプレイに表示することにより、このTV壁に表示されるイメージが一つの大きなイメージのスクリーンTVとして見えるようにする。従って、TV壁を構成する各ディスプレイは、独自の符号（以下、IDと略す。）を備えていなければならず、これにより、固有のディスプレイに関連する画像信号を考慮してイメージを伝送することができ、そして、TV壁は、全ての固有のイメージを受信した後、それらイメージを一つの大きなイメージとして表示することができる。TV壁を構築する際又はその他の目的の際に実際の要求に基づいてディスプレイの数を便利に増減させるために、各ディスプレイのIDコードは、ディスプレイが製造されるときに同一のコード又は空のコードとして設定される。しかしながら、この制限があるため、ディスプレイIDを設定するための方法が、TV壁を構築する際の重要な課題となっている。
【発明の開示】
【発明が解決しようとする課題】
【０００３】
従来技術では、数個のディスプレイのそれぞれに互いに異なるIDを設定するために、まず、コンピュータをディスプレイのうちの一つに電気的に接続し、設定が完了した後、コンピュータとディスプレイとをつなぐケーブルを抜き、そのケーブルを別のディスプレイの接続ポートに差し込むことにより該ディスプレイとコンピュータとをつなぎ、その後、残りのディスプレイへのケーブルの抜き差しを繰り返し行う。従って、TV壁が数個のディスプレイから構成されていると、ケーブルの差し込み及び引き抜き工程が複雑となる。この為、この工程は、大きな労力を必要とし、また、時間もかかる。
【０００４】
要約すると、数個のディスプレイに異なるIDを設定するための方法は、次の点で不利益である。(1)従来の方法は、コンピュータとディスプレイをつなぐ接続ケーブルを繰り返し差し込み、引き抜く必要があるため、時間がかかり、作業が困難になる。
【０００５】
従って、本発明は、ディスプレイのIDを設定するためのシステム、装置及び方法に関するものである。本発明の実施態様によると、設定ユニットとディスプレイとを接続する接続ライン又はケーブルの抜き差しを繰り返し行うことなく、TV壁を構成するディスプレイの各IDを順次設定することができる。
【課題を解決するための手段】
【０００６】
本発明の実施態様によると、各ディスプレイに電気的に接続されたスイッチは、TV壁を構成する各ディスプレイに対し順次IDの設定を行うために使用される。
【０００７】
本発明の実施態様によると、システムは、設定ユニット、複数のディスプレイ及び複数のスイッチを備える。複数のディスプレイは、設定ユニットに電気的に接続され、スイッチは、設定ユニットと設定ユニットに対応するディスプレイとの間に設けられる。各スイッチは、ディスプレイのうちのそれぞれの一つに対応し、各スイッチは、その対応するディスプレイによってオン又はオフされる。まず、全てのスイッチは、対応するディスプレイによりオンされる。次に、全てのマイクロプロセッサが、設定ユニットからＩＤ設定インストラクションをそれぞれ受信する。次に、全てのディスプレイは、ＩＤ設定モードに変わり、全てのスイッチをオフするように制御する。第一ディスプレイは、設定ユニットから第一ＩＤ情報を受信する。第一マイクロプロセッサは、ＩＤをメモリーに保存する。第一マイクロプロセッサは、ＩＤ設定モードを終了し、通常の操作モードに戻る。その後、第一マイクロプロセッサは、第一スイッチがオンするように、コントロール信号を送る。第一マイクロプロセッサは、設定完了を示す信号を設定ユニットに返信する。
【０００８】
上述したように、本発明の実施態様によると、設定ユニットが返信信号を受信すると、次のＩＤ設定インストラクションが次のディスプレイに送られる。
【０００９】
上述したように、本発明の実施態様によると、設定ユニットは、CPUと、メモリーと、伝送端子及び受信端子を有する通信インターフェイスとを備え、通信インターフェイスの伝送端末及び受信端末は、それぞれ伝送回線Tx及び第二伝送回線Rxを介して各ディスプレイのマイクロプロセッサの受信端子及び伝送端子に電気的に接続される。
【００１０】
上述したように、本発明の実施態様によると、第一ディスプレイにおいて、受信端子及び伝送端子は、それぞれ伝送回線Ｔｘ及び伝送回線Ｒｘを介して設定ユニットの通信インターフェイスの伝送端子及び受信端子に電気的に接続される。更に、第二ディスプレイにおいて、通信インターフェイスの受信端子は、第一ディスプレイに対応する第一スイッチを介して設定ユニットの伝送端子に電気的に接続される。
【００１１】
上述したように、本発明の実施態様によると、各ディスプレイは、そのIDを保存するためのメモリーを備える。
【００１２】
上述したように、本発明の実施態様によると、ディスプレイIDを設定するためのシステムが設けられ、設定ユニットは、ID設定機能を行なうために設けられる。ディスプレイは、設定ユニットに電気的に接続され、スイッチは、設定ユニットと対応するディスプレイとの間に設けられる。各スイッチは、それぞれディスプレイのうちの一つに対応しており、その対応するディスプレイにより各スイッチをオン又はオフすることができる。
【００１３】
上記システムにおいて、設定ユニットがＩＤ設定インストラクションを送ると、次のＩＤ設定インストラクションは、設定されたディスプレイからの返信信号に応じて送られる。
【００１４】
上記システムにおいて、各ディスプレイは、前のディスプレイのID設定が完了し、前のディスプレイに対応するスイッチがオフされるまで、設定ユニットに電気的に接続されない。
【００１５】
上記システムにおいて、各ディスプレイは、例えばそのIDを保存するためのメモリーを備える。
【００１６】
上記システムにおいて、スイッチは、例えば電気スイッチである。
【００１７】
上記システムにおいて、設定ユニットは、例えばコンピュータ又はポータブルコンピュータである。
【００１８】
又、本発明は、ディスプレイＩＤを設定するための方法に関するものである。本実施例において、設定システムは、ディスプレイＩＤ設定機能を行うために使用され、設定ユニット、第一ディスプレイ、第二ディスプレイ、第一スイッチ及び第二スイッチを備える。本発明の実施態様によると、ディスプレイＩＤを設定する方法において、まず、全てのスイッチが対応するディスプレイによりオンされる。次に、全てのマイクロプロセッサは、設定ユニットからＩＤ設定インストラクションを受信する。次に、全てのディスプレイは、ＩＤ設定モードに変わり、全てのスイッチをオフするよう制御する。第一ディスプレイは、設定ユニットから第一ＩＤ情報を受信する。第一マイクロプロセッサは、ＩＤをメモリーに保存する。第一マイクロプロセッサは、ＩＤ設定モードを終了し、通常の操作モードに戻る。その後、第一マイクロプロセッサは、第一スイッチをオンするようにコントロール信号を送る。第一マイクロプロセッサは、設定完了を示す信号を設定ユニットに返信する。
【００１９】
設定ユニットは、第二ＩＤ設定インストラクションを第二ディスプレイに送る。第二ディスプレイは、設定ユニットから第二ＩＤ情報を受信する。第二マイクロプロセッサは、ＩＤをメモリーに保存する。第２マイクロプロセッサは、ＩＤ設定モードを終了し、通常の操作モードに戻る。
【発明を実施するための最良の形態】
【００２０】
(実施例)
本発明は、複数のディスプレイで構成されるTV壁に適するディスプレイIDを設定するためのシステム及び装置を提供する。本発明において、設定ユニットと各ディスプレイの接続ポートとをつなぐ接続ライン又はケーブルを繰り返し抜き差しすることなく、ディスプレイの独自のIDをコンピュータ等の設定ユニットを用いて直接設定することができる。同様に、各ディスプレイの接続ポートに設定ユニットを繰り返し接続したりその接続を切断したりせずに、TV壁を構成するディスプレイの全てのIDを設定することができる。
【００２１】
図1は、本発明の実施態様によるディスプレイIDを設定するためのシステムの設定ユニットの回路ブロック図を示す。本実施態様では、ディスプレイは、ディスプレイIDを設定するためのシステム100内の設定ユニット110により設定される。設定ユニット110は、CPU1102、メモリー1104及び通信インターフェイス116を備える。通信インターフェイス116は、それぞれ情報を送受信するための伝送端子112及び受信端子114を備える。設定ユニット110から送信されたID情報は、通信インターフェイス116を介してディスプレイに入力される。本実施態様では、通信インターフェイス116は、RS232で構成されており、通信インターフェイス116の伝送端子112及び受信端子114は、それぞれRS232伝送端子及びRS232受信端子で構成されている。更に、設定ユニット110は、PC（パーソナルコンピュータ）、ラップトップコンピュータ又は当業者にとって周知である制御及び演算機能を実施可能なプロセッサを有する機器で構成されていればよい。しかしながら、設定ユニットは、それらに限定されない。本実施態様では、ディスプレイIDを設定するためのシステム100は、複数のディスプレイ120、130、140及び150を備える。システム100に含まれるディスプレイの数は、物理的なデザイン及び要件によって定められる。4つのディスプレイからなるTV壁は、本発明を記述するために以下に例示されている。しかしながら、本発明の範囲は、それに限定される必要はない。
【００２２】
本実施態様では、ディスプレイIDを設定するためのシステム100をつなぐために、2つのグループの伝送回線Tx及びRxが使用される。そのシステム（例えばTV壁）を構築する際、伝送回線Txの第一セクションは、設定ユニット110の伝送端子112、ディスプレイ120の受信端子126及びスイッチ124の入力端子124Aに電気的に接続される。
【００２３】
伝送回線Txの第二セクションは、スイッチ124の出力端子124B、ディスプレイ130の受信端子136及びスイッチ134の入力端子134Aに電気的に接続される。
【００２４】
伝送回線Txの第三セクションは、スイッチ134の出力端子134B、ディスプレイ140の受信端子146及びスイッチ144の入力端子144Aに電気的に接続される。
【００２５】
伝送回線Txの第四セクションは、スイッチ144の出力端子144B、ディスプレイ150の受信端子156、スイッチ154の入力端子154Aに電気的に接続される。
【００２６】
伝送回線Rxは、設定ユニット110の受信端子114及び各ディスプレイ120、130、140、150のそれぞれの伝送端子127、137、147、157に電気的に接続される。このような伝送端末と受信端末との電気的接続により、指示又情報を伝送することができる。当業界で現在通常に使用されているRS232伝送回線等の共通の伝送プロトコルに応じた接続ポートは、設定ユニット及びディスプレイのそれぞれの伝送端末及び受信端末の間の通信に二つの伝送回線Tx及びRxにより利用される。また、他の伝送プロトコルに応じた伝送回線も実際の要求を考慮しながら本発明に適応することができる。図1に示すように、設定ユニット110の通信インターフェイスの伝送端末及び受信端末は、それぞれRS232通信インターフェイス128、138、148、158を介してディスプレイ120、130、140、150の受信端末及び伝送端末に電気的に接続されている。
【００２７】
更に、伝送回線Ｔｘは、スイッチ１３４の出力端子１３４Ｂと、受信端子１４６と、スイッチ１４４の入力端子１４４Ａとに接続されている。伝送回線Ｔｘは、スイッチ１４４の出力端子１４４Ｂと、受信端子１５６と、スイッチ１５４の入力端子１５４Ａとに接続される。更に、複数のコントロールライン１２２Ａ、１３２Ａ、１４２Ａ、１５２Ａは、マイクロプロセッサ１２２、１３２、１４２、１５２とコントロール端子１２５、１３５、１４５、１５５とにそれぞれ電気的に接続されている。マイクロプロセッサ１２２、１３２、１４２、１５２は、スイッチ１２４、１３４、１４４、１４５のオン又はオフを制御する。ここで、スイッチは、例えば電気スイッチで構成されており、全てのスイッチは、スイッチング操作に必要とされる電力のための電源に接続されている。
【００２８】
ここでは、本実施態様のID設定操作の説明を簡単にするために、設定ユニット110とディスプレイ120、130との間の接続のみを説明する。TV壁100を構成するディスプレイ140、150等の残りのディスプレイのための設定方法は、同様であるため、ここでは詳細な説明は省略されている。
【００２９】
先ず、全てのスイッチは、それぞれに対応するディスプレイによりオンされる。設定ユニット１１０は、通信インターフェイス１１６の伝送端末１１２及び伝送回線Ｔｘを介して全てのディスプレイ１２０、１３０、１４０、１５０にＩＤ設定インストラクションを送る。
【００３０】
本実施態様では、スイッチ124は、入力端子124A、出力端子124B及びコントロール端子125を備える。入力端子124Aは、設定ユニット110の伝送端子112に電気的に接続されており、出力端子124Bに選択的に接続される。この選択的な接続／スイッチングは、ディスプレイ120内のマイクロプロセッサ122により制御されている。更に、スイッチ134は、入力端子134A及び出力端子134Bを備える。スイッチ134の入力端子134Aは、第一スイッチ124の出力端子124Bに電気的に接続されており、出力端子134Bに選択的に接続される。同様に、この選択的な接続／スイッチングは、ディスプレイ130内のマイクロプロセッサ132により制御されている。
【００３１】
図２Ａ及び図２Ｂは、本発明の実施態様によるディスプレイＩＤを設定するためのシステムにおける第一スイッチの操作モードを示す概略図である。本実施例では、スイッチの数にかかわらず、操作はスイッチ１２４と同様である。従って、ここではスイッチ１２４のみが例示されている。本実施例では、図２Ａに示すように、スイッチ１２４の入力端子１２４Ａは、出力端子１２４Ｂに電気的に接続されており、スイッチ１３４の入力端子１３４Ａは、出力端子１３４Ｂに電気的に接続されている。即ち、設定ユニット１１０は、伝送回線Ｔｘを介して全てのディスプレイに情報を送信することができる。特に、設定装置１１０のＣＰＵ１１０２（中央演算処理装置）は、通信インターフェイスを介して通信インターフェイス１１６の伝送端子１１２から伝送回線Ｔｘを介して、全てのディスプレイにＩＤ設定インストラクション等のＩＤ情報を送信する。各ディスプレイは、ＩＤ設定インストラクションを受信すると、ＩＤ設定モードに変わり、全てのスイッチをオフするように制御する。
【００３２】
ディスプレイがID設定モードに切り替えられた後、スイッチ124のオープン回路のため、入力端子124A及び出力端子124Bは、図2Bに示すように、互いに電気的に接続されず、入力端子134A及び出力端子も互いに電気的に接続されない。一方、全てのスイッチは、オープン回路であり、すなわち、スイッチ内の接触ポイントは互いに電気的に接触されていないことから、ディスプレイ120はID情報に含まれるIDのみを受信でき、そのIDはディスプレイ120に指定される。本発明の実施態様では、IDをディスプレイ120内のメモリー121に保存することができる。メモリー120を、IDを永久的に保存できるような不揮発性のメモリーで構成することができる。
【００３３】
本実施例では、ディスプレイ１２０は、マイクロプロセッサ１２２と、メモリー１２１と、伝送端子１２７及び受信端子１２６を有する通信インターフェイス１２８とを備える。伝送端子１２７は、伝送回線Ｒｘを介して設定ユニット１１０の通信インターフェイス１１６の受信端子１１４に電気的に接続されている。受信端子１２６は、設定ユニット１１０の通信インターフェイス１１６の伝送端子１１２に電気的に接続されている。まず、マイクロプロセッサ１２２が、受信端子１２６及び伝送回線Ｔｘを経て設定ユニット１１０からＩＤ設定インストラクションを受信すると、コントロール信号は、スイッチ１２４をオフするようにコントロールライン１２２Ａを介してスイッチ１２４のコントロール端子１２５に送信される。
【００３４】
マイクロプロセッサ122は、送信されたID情報によりディスプレイ120のメモリー121にこのIDを指定する。設定が終了した後、返信信号が伝送端子127を介してマイクロプロセッサ122から送られ、操作モードは通常操作モードに切り替えられる。一方、スイッチ124をオンするようにコントロール信号がコントロールライン122Aを介してスイッチ124のコントロール端子125に送信される。すなわち、入力端子124A及び出力端子124Bは、もとの非接続状態から互いに電気的に接続される。第1マイクロプロセッサ122は、設定ユニット110に設定終了を示す信号を返信する。
【００３５】
また、本発明の実施態様によれば、ディスプレイ130内のマイクロプロセッサ132は、伝送端子137及び受信端子136を備える。伝送端子137は、伝送回線Rxを介して設定ユニット110の受信端子114に電気的に接続される。受信端子136は、スイッチ124を介して設定ユニット110の伝送端子112に電気的に接続される。
【００３６】
設定ユニット110は、マイクロプロセッサ122から信号を受信すると、次に、別のID情報をディスプレイ130に送る。
【００３７】
マイクロプロセッサ132は、ディスプレイ130のID情報を受信する。すなわち、マイクロプロセッサ132は、例えばディスプレイ130内のメモリー131に保存するために、受信されたIDからディスプレイ130のIDを指定する。設定が終了した後、通信インターフェイス138及び伝送端子137を介してマイクロプロセッサ132から設定ユニット110に操作モードが通常操作モードに戻るように返信信号が送信される。一方、コントロール信号は、スイッチ134をオンするようにコントロールライン132Aを介してスイッチ134のコントロール端子135に送信され、その間、入力端子134A及び出力端子134Bは、もとの非接続状態から互いに電気的に接続される。
【００３８】
これにより、伝送回線Tx及びRｘに加え、通信インターフェイス116を介して設定ユニット110を用いて2つのディスプレイ（他のディスプレイを上記のように実施することができる。）に順次設定することができる。例えば、まず設定ユニット110は、ディスプレイ120のIDを設定し、その後、ディスプレイ130のIDを設定し、続けて、ディスプレイ140、150及び残りのTV壁100のディスプレイのIDを設定する。本発明の実施態様では、IDは、ディスプレイ内のメモリー121、131、141、151にそれぞれ保存される。スイッチを使用することにより、所望のディスプレイがそれ以外のディスプレイからインストラクションを受信することを防止することができる。
【００３９】
図3は、本発明の実施態様によるディスプレイのためのIDを設定する方法を示すフローチャートである。
【００４０】
本発明の実施態様によれば、ディスプレイを設定する前に、全てのスイッチがオンされる（ステップＳ３０２）。次に、全てのマイクロプロセッサは、設定ユニットからＩＤ設定インストラクションを受信する（ステップＳ３０４）。次に、全てのディスプレイは、ＩＤ設定モードに変わり、全てのスイッチをオフするように制御する（ステップＳ３０６）。第一ディスプレイは、設定ユニットから第一ＩＤ情報を受信する（ステップＳ３０８）。第一マイクロプロセッサは、メモリーにＩＤを保存する（ステップＳ３１０）。第一マイクロプロセッサは、ＩＤ設定モードを終了し、通常の操作モードに戻る（ステップＳ３１２）。その後、第一マイクロプロセッサは、第一スイッチをオンするためのコントロール信号を送信する（ステップＳ３１４）。第一マイクロプロセッサは、設定ユニットに設定終了を示す信号を返信する（ステップＳ３１６）。
【００４１】
設定ユニットは、返信信号を受信した後、図1に示すように、第二ID情報を第二ディスプレイに再び送る。従って、設定ユニットは、全てのディスプレイにそれぞれのIDが設定されるまで、全てのディスプレイにIDを順次設定する。
【００４２】
要約すると、本発明に係るディスプレイIDを設定するシステム、装置及び方法は、少なくとも以下の利点を有する。
（1）本発明に係るディスプレイIDを設定するシステム、装置及び方法を適用することにより、接続ケーブルを介して設定ユニットと各ディスプレイの接続ポートとをつなぐ接続ケーブルを繰り返し抜き差しすることによる作業時間及び労働力の増大を解消することができる。
（2）本発明に係るディスプレイIDを設定するシステム、装置及び方法によれば、コンピュータが各ディスプレイにIDを任意に指定することができ、効果的な方法で更新を実行することができる。
【００４３】
本発明は、特定の実施例を参照し説明されたが、上記の実施例の変形が本発明の精神を逸脱しない範囲で行なわれることは、当業者にとって自明である。従って、本発明の範囲は、添付されたクレームによって定義され、上記実施例によっては定義されない。
【図面の簡単な説明】
【００４４】
添付図面は、本発明を更に理解するために含め、本明細書の一部に組み込み、その一部を構成するものである。添付図面は、説明と共に本発明の実施態様を示しており、明細書と共に本発明の原理を説明するために利用する。
【図１】本発明の実施態様によるディスプレイIDを設定するためのシステムにおける設定装置の回路ブロック図を模式的に示す図である。
【図２Ａ】図2Aは、本発明の実施態様によるディスプレイIDを設定するためのシステムにおける第一スイッチのオペレーションモードを示す模式図である。
【図２Ｂ】図2Bは、本発明の実施態様によるディスプレイIDを設定するためのシステムにおける第一スイッチのオペレーションモードを示す模式図である。
【図３】図3は、本発明の実施態様によるディスプレイIDを設定するための方法を模式的に示すフローチャートである。
【図１】
0004326439.tif 000002
【図２Ａ】
0004326439.tif 000003
【図２Ｂ】
0004326439.tif 000004
【図３】
0004326439.tif 000005